(57)【特許請求の範囲】
【請求項１】
豚の顎骨の一部が切出された顎骨部位と、
前記顎骨部位を覆う外装樹脂部と、
を備える医療用Ｘ線撮影装置用ファントム。
【請求項２】
請求項１記載の医療用Ｘ線撮影装置用ファントムであって、
前記顎骨部位は、腐敗抑制処理が施されたものである、医療用Ｘ線撮影装置用ファントム。
【請求項３】
請求項１又は請求項２記載の医療用Ｘ線撮影装置用ファントムであって、
前記顎骨部位は、少なくとも１つの豚の臼歯と歯槽骨の少なくとも一部とを含む、医療用Ｘ線撮影装置用ファントム。
【請求項４】
請求項１〜請求項３のいずれか１つに記載の医療用Ｘ線撮影装置用ファントムであって、
前記外装樹脂部は、人体の軟組織に相当するＸ線透過率を有する、医療用Ｘ線撮影装置用ファントム。
【請求項５】
請求項１〜請求項４のいずれか１つに記載の医療用Ｘ線撮影装置用ファントムであって、
前記外装樹脂部は、透明又は半透明である、医療用Ｘ線撮影装置用ファントム。
【請求項６】
請求項１〜請求項５のいずれか１つに記載の医療用Ｘ線撮影装置用ファントムであって、
前記外装樹脂部内に、相互に異なるＸ線透過率を有する複数のＸ線透過部を有する物理ファントムが埋設されている、医療用Ｘ線撮影装置用ファントム。
【請求項７】
請求項１〜請求項６のいずれか１つに記載の医療用Ｘ線撮影装置用ファントムであって、
前記外装樹脂部の外形が、平面上に載置可能な形状に形成されている、医療用Ｘ線撮影装置用ファントム。
【請求項８】
請求項１〜７のいずれか１つに記載の医療用Ｘ線撮影装置用ファントムであって、
前記外装樹脂部の外形が、直方体、立方体、又は円柱のいずれかに形成されている、医療用Ｘ線撮影装置用ファントム。
【発明の詳細な説明】
【技術分野】
【０００１】
この発明は、Ｘ線撮影装置用の評価用等に用いられる医療用Ｘ線撮影装置用ファントムに関する。
【背景技術】
【０００２】
歯科用等の医療用Ｘ線撮影装置のファントムとしては、人間の歯牙を歯科診療時に抜いた抜去歯牙と呼ばれるものが一部で使用されている。
【０００３】
また、特許文献１に開示のように、ゴム材からなる多孔性部材によってＸ線ＣＴ撮影装置用ファントムを形成することも考えられている。
【０００４】
また、特許文献２に開示のように、ハイドロキシアパタイトやレタン系樹脂からなる骨や軟骨に近似したＸ線減弱物質を用いた骨疾患撮影装置評価用ファントムを形成することも考えられている。
【先行技術文献】
【特許文献】
【０００５】
【特許文献１】特開昭６３−２６４０４４号公報
【特許文献２】特開２００７−２８９５６０号公報
【発明の概要】
【発明が解決しようとする課題】
【０００６】
しかしながら、人間の歯牙の入手は困難であり、また、保存性に劣るという問題がある。
【０００７】
また、ゴム材からなる多孔性部材によって形成されたＸ線ＣＴ撮影装置用ファントムは、人間の歯牙や骨とは大きく異なるため、これをＸ線撮影装置によって試験撮影しても、適切な評価を行い難いという問題がある。
【０００８】
また、ハイドロキシアパタイトやレタン系樹脂からなる骨疾患撮影装置評価用ファントムは、実際の人間の歯牙や骨の構造に近づけた構成ではあるものの、臨床現場で着目される生体の構造は精密であるため、このファントムを用いて試験撮影しても、人間の歯牙や骨の微細な構造の再現性に乏しく、依然として適切な評価を行い難いという問題が残される。
【０００９】
そこで、本発明は、入手性及び保存性に優れ、かつ、Ｘ線撮影装置用の評価用等に適した、生体の再現性に優れた医療用Ｘ線撮影装置用ファントムを提供することを目的とする。
【課題を解決するための手段】
【００１０】
上記課題を解決するため、第１の態様に係る医療用Ｘ線撮影装置用ファントムは、豚の顎骨の一部が切出された顎骨部位と、前記顎骨部位を覆う外装樹脂部とを備える。
【００１１】
第２の態様は、第１の態様に係る医療用Ｘ線撮影装置用ファントムであって、前記顎骨部位は、腐敗抑制処理が施されたものである。
【００１２】
第３の態様は、第１又は第２の態様に係る医療用Ｘ線撮影装置用ファントムであって、前記顎骨部位は、少なくとも１つの豚の臼歯と歯槽骨の少なくとも一部とを含む。
【００１３】
第４の態様は、第１〜第３のいずれか１つの態様に係る医療用Ｘ線撮影装置用ファントムであって、前記外装樹脂部は、人体の軟組織に相当するＸ線透過率を有する。
【００１４】
第５の態様は、第１〜第４のいずれか１つの態様に係る医療用Ｘ線撮影装置用ファントムであって、前記外装樹脂部は、透明又は半透明である。
【００１５】
第６の態様は、第１〜第５のいずれか１つの態様に係る医療用Ｘ線撮影装置用ファントムであって、前記外装樹脂部内に、相互に異なるＸ線透過率を有する複数のＸ線透過部を有する物理ファントムが埋設されている。
【００１６】
第７の態様は、第１〜第６のいずれか１つの態様に係る医療用Ｘ線撮影装置用ファントムであって、前記外装樹脂部の外形が、平面上に載置可能な形状に形成されている。
【００１７】
第８の態様は、第１〜第７のいずれか１つの態様に係る医療用Ｘ線撮影装置用ファントムであって、前記外装樹脂部の外形が、直方体、立方体、又は円柱のいずれかに形成されている。
【発明の効果】
【００１８】
第１の態様に係る医療用Ｘ線撮影装置用ファントムによると、豚の顎骨の一部が切出された顎骨部位を用いているため、入手性に優れると共に、実際の被写体の厚みや構造を再現できるのでＸ線撮影装置用の評価用等に適する。また、顎骨部位を外装樹脂部で覆っているため、保存性に優れると共に衛生的な管理が容易である。
【００１９】
第２の態様によると、顎骨部位は、腐敗抑制処理が施されたものであるため、より保存性に優れる。
【００２０】
第３の態様によると、前記顎骨部位は、少なくとも１つの豚の臼歯と歯槽骨の少なくとも一部とを含むため、人間の歯牙及びその周辺構造とより似せることができ、Ｘ線撮影装置用の評価用等により適する。
【００２１】
第４の態様によると、前記外装樹脂部は、人体の軟組織に相当するＸ線透過率を有するため、Ｘ線撮影装置用の評価用等に、より適する。
【００２２】
第５の態様によると、外部から顎骨部位を視認することができる。
【００２３】
第６の態様によると、物理ファントムの各Ｘ線透過部を利用することによっても、Ｘ線撮影装置の評価等を行うことができるので、一つの医療用Ｘ線撮影装置用ファントムを用いて、更に、空間分解能やコントラスト等のような他の物理評価も行うことができるので便利である。
【００２４】
第７の態様によると、本医療用Ｘ線撮影装置用ファントムを安定して載置した状態で、Ｘ線撮影することができる。
【００２５】
第８の態様によると、本医療用Ｘ線撮影装置用ファントムを安定して載置した状態で、Ｘ線撮影することができる。
【図面の簡単な説明】
【００２６】
【図１】医療用Ｘ線撮影装置用ファントムを示す斜視図である。
【図２】医療用Ｘ線撮影装置用ファントムを示す正面図である。
【図３】医療用Ｘ線撮影装置用ファントムを示す背面図である。
【図４】医療用Ｘ線撮影装置用ファントムを示す平面図である。
【図５】医療用Ｘ線撮影装置用ファントムを示す側面図である。
【図６】豚の顎骨からの切出し部位を示す説明図である。
【図７】豚の顎骨からの切出し部位を示す説明図である。
【図８】医療用Ｘ線撮影装置用ファントムの変形例を示す斜視図である。
【図９】医療用Ｘ線撮影装置用ファントムの他の変形例を示す斜視図である。
【図１０】医療用Ｘ線撮影装置用ファントムのさらに他の変形例を示す斜視図である。
【図１１】物理ファントムの一例を示す断面図である。
【発明を実施するための形態】
【００２７】
以下、実施形態に係る医療用Ｘ線撮影装置用ファントムについて説明する。図１〜図５は医療用Ｘ線撮影装置用ファントム２０を示す図である。
【００２８】
医療用Ｘ線撮影装置用ファントム２０は、医療用Ｘ線撮影装置による撮影対象として利用される。例えば、医療用Ｘ線撮影装置用ファントム２０は、医療用Ｘ線撮影装置の出荷前における初期設定、保守及び修正等のメンテナンス、設置現場での利用者（歯科医師等医療従事者）に対する説明等の各場面において、テスト用の撮影対象として利用される。
【００２９】
ここで、医療用Ｘ線撮影装置としては、例えば、歯科用口腔用Ｘ線撮影装置、歯科用パノラマＸ線撮影装置、歯科用セファロ撮影装置、歯科用Ｘ線ＣＴ撮影装置等の歯科用Ｘ線撮影装置、さらに、耳鼻咽喉科用Ｘ線撮影装置、眼科用Ｘ線撮影装置を含む。
【００３０】
この医療用Ｘ線撮影装置用ファントム２０は、顎骨部位３０と、顎骨部位３０を覆う外装樹脂部４０とを備える。
【００３１】
顎骨部位３０は、豚の顎骨の一部が切出されることにより形成されている。図６及び図７は、豚の顎骨１０からの切出し部位を示す説明図である。なお、図６において、豚の顎骨１０は、舌側から観察した状態を示している。図７において、歯槽骨１２の右側が舌側であり、左側が頬側であり、図５も同様に配置された状態を示している。
【００３２】
豚の顎骨１０は、骨梁を含む歯槽骨１２に、複数の歯１５が一列に並ぶように配設された構成とされている。図６及び図７では、複数の臼歯１５を含む部分を示している。臼歯１５は、主要部分を構成する象牙質部分１５ａと、その表面を覆うエナメル質部分１５ｂとを備えている。また、臼歯１５の内部には、歯髄１５ｃが存在しており、臼歯１５と歯槽骨１２との間には、歯根膜が存在している。また、複数の臼歯１５の下方には永久歯ＨＴａ，ＨＴｂ（図１〜図５では永久歯ＨＴ）が埋れた状態で存在している。
【００３３】
かかる豚の顎骨１０を用いているのは、構造的に人の顎骨と比較的似ているからであり、また、サル或は羊、山羊、猪、鹿、犬、猫、ウサギ、モルモット、フェレット、キツネ、イタチ等の顎骨と比べて容易かつ安価に入手可能だからである。
【００３４】
また、豚の顎骨１０から顎骨部位３０を切出す際には、少なくとも１つの豚の臼歯１５と歯槽骨１２の少なくとも一部を含むように切出すことが好ましい。これにより、顎骨部位３０を、人間の歯牙及びその周辺構造に対してより似せることができるからである。ここでは、連続して並ぶ複数の臼歯１５と当該複数の臼歯１５の根本近傍の歯槽骨１２を含むようにして、顎骨部位３０を切出している。より具体的には、顎骨１０において、連続して並ぶ３つの臼歯１５（図２において左側から順に第一前臼歯、第二前臼歯、第三前臼歯）の両側外方に一対の縦切断面形成し、その一対の縦切断面の下方部分で横切断面を形成して、顎骨部位３０を切出している。切断は、ノコギリ等で行うとよい。
【００３５】
切出し対象となる顎骨１０は、子豚の前臼歯である臼歯１５を少なくとも１つ含み、かつ、その下方の歯槽骨１２を含むように切出されたものであることが好ましい。臼歯１５が、特には第二〜第四前臼歯であれば、更に好ましい。子豚の前臼歯（ただし第一前臼歯を除く）は乳歯であり、従って、その下方に永久歯ＨＴ，ＨＴａ，ＨＴｂが埋れた状態で存在している。このため、顎骨部位３０を、人間の子供の歯顎構造に対してより類似させることができるからである。もっとも、子豚の後臼歯を切出してもよい。なお、後臼歯及び第一前臼歯は生え替わりのない永久歯であるため、これらの臼歯を切り出して用いる場合は、これらの臼歯の下方における埋没歯の観察はできない。
【００３６】
また、豚の顎骨部位３０は、腐敗抑制処理が施されたものであることが好ましい。顎骨部位３０に対して腐敗抑制処理が施されていると、保存性に優れ、また、衛生的にも好ましいからである。腐敗抑制処理は、軟組織を除去すること又は軟組織が腐敗しにくい状態に加工すること等により行われる。腐敗抑制処理は、切出し前の顎骨１０の状態で行われてもよいし、切出し後の顎骨部位３０の状態で行われてもよい。軟組織を除去する方法としては、肉等の腐敗する可能性のある組織を取り除く方法であり、且つ評価（観察）対象とする組織に損傷を与えない方法であればよい。例えば、薬剤の使用、虫や微生物による方法等が考えられる。薬剤や虫あるいは微生物は軟組織にだけ作用する材料や種を用いればよい。軟組織の除去は、組織が完全に取り除かれていなくても、少なくとも、医療用Ｘ線撮影装置用ファントム２０の耐久性や外観が損なわれないように、腐敗しない状態で樹脂の中に覆われていればよい。軟組織が腐敗しにくい状態に加工する方法としては、乾燥が挙げられる。乾燥は、自然乾燥であってもよいし、特別な乾燥室内で乾燥されたものであってもよい。
【００３７】
外装樹脂部４０は、顎骨部位３０が外部に露出しないように、当該顎骨部位３０全体を覆っている。外装樹脂部４０が顎骨部位３０を覆うことで、顎骨部位３０の保存性を良好にすることができる。また、人が顎骨部位３０に直接触れないようにすることもできる。
【００３８】
もっとも、外装樹脂部４０は、顎骨部位３０のうち少なくとも歯の部分、ここでは、臼歯１５を露出しないように覆っていればよい。従って、歯槽骨１２の底面等は外部に露出していてもよい。
【００３９】
外装樹脂部４０は、透明又は半透明であることが好ましい。これにより、外部から顎骨部位３０の形態を視認することができるからである。換言すれば、外装樹脂部４０は、外部から顎骨部位３０を視認できる程度に透明又は半透明であることが好ましい。もっとも、本医療用Ｘ線撮影装置用ファントム２０は、Ｘ線撮影装置による撮影対象として利用されるものであるため、外装樹脂部４０が透明又は半透明であることは必須ではない。
【００４０】
また、外装樹脂部４０は、人体の軟組織に相当するＸ線透過率を有することが好ましい。これにより、顎骨部位３０が人体の軟組織によって囲まれた状態を再現することができ、医療用Ｘ線撮影装置用ファントム２０を、医療用Ｘ線撮影の評価用に適したものとすることができる。
【００４１】
かかる樹脂としては、実効原子番号５．７〜７．６４の材質のものを用いて作製されることが好ましい。ここで、実効原子番号とは、Ｘ線に対する影響又は振舞が、原子番号が何番目の原子に相当するかを評価した値である。
【００４２】
具体的には、上記樹脂としては、ポリウレタン樹脂或はアクリル樹脂を用いることができ、特に、上記した観点からはそれらの透明又は半透明樹脂を用いることが好ましい。
【００４３】
また、外装樹脂部４０の外形状は、平面上に載置可能な形状に形成されていることが好ましい。ここでは、外装樹脂部４０の外形状は、直方体状に形成されている。また、外装樹脂部４０の一主面（底面）は、顎骨部位３０の底面と略平行になっている。
【００４４】
外装樹脂部の外形状は、平面上に載置可能な形状であればよく、図８に示す医療用Ｘ線撮影装置用ファントム２０Ｂのように、立方体状の外装樹脂部４０Ｂであってもよく、また、図９に示す医療用Ｘ線撮影装置用ファントム２０Ｃのように、円柱状の外装樹脂部４０Ｃであってもよい。外装樹脂部が平面上に載置された状態で、その平面と顎骨部位３０の底面とは平行状態になることが好ましい。
【００４５】
このように外装樹脂部４０の外形状を、平面上に載置可能な形状に形成することで、本医療用Ｘ線撮影装置用ファントム２０を安定して装置の撮影対象空間内に安定して載置した状態で、また実際の撮影での被写体となる歯牙及び顎骨の状態を再現した環境で、Ｘ線撮影を行うことができる。
【００４６】
上記外装樹脂部４０のサイズ例及び外装樹脂部４０内における顎骨部位３０の位置の例について説明する。
【００４７】
外装樹脂部４０の幅Ｗ、奥行Ｄ、高さＨは、それぞれ４０〜５０ｍｍ、２０〜３０ｍｍ、３０〜４０ｍｍであることが好ましい。高さＨは、Ｘ線撮影装置の受像器（センサ、フィルム）よりも大きいことが好ましいが、これは必須ではない。また、外装樹脂部４０の奥行Ｄは、Ｘ線撮影時において、顎骨部位３０を人体のＸ線撮影時と同程度に映し出せる程度の値であることが好ましい。
【００４８】
また、顎骨部位３０の外周囲全体で、顎骨部位３０の表面と外装樹脂部４０の外表面との間になるべく均等なスペースが形成されていることが好ましい。また、顎骨部位３０の臼歯１５の配列方向は、外装樹脂部４０のいずれかの面に沿って配設されていることが好ましい。
【００４９】
被写体となる生体の形態にできるだけ近い形態で、医療用Ｘ線撮影装置用ファントム２０を形成することが望ましいので、外装樹脂部４０内に埋設する顎骨部位３０の端部から外装樹脂部４０の外周面までの距離が３ｍｍ〜１０ｍｍであれば、被写体となる生体の再現性に優れるので好ましい。ただしこの仕様は、本発明の医療用Ｘ線撮影装置用ファントム２０の設計で厳密に要求されるものではない。
【００５０】
なお、上記外装樹脂部４０の外面には、さらに透明なコーティングを施してもよい。この場合、外装樹脂部４０の底面に対するコーティングは省略されてもよい。
【００５１】
以上のように構成された医療用Ｘ線撮影装置用ファントム２０によると、豚の顎骨１０の一部が切出された顎骨部位３０を用いているため、入手性に優れる。また、人の歯構造と似た構造を得ることができるため、Ｘ線撮影装置用、特に、歯科用Ｘ線撮影装置の評価用に適する。また、顎骨部位３０を外装樹脂部４０で覆っているため、保存性に優れる。
【００５２】
また、豚の顎骨部位３０をまとめてある程度の数入手することも容易であり、従って、切断、腐敗抑制処理や滅菌等の処理を行う場合にも各作業工程を一括して容易に行える。
【００５３】
また、本医療用Ｘ線撮影装置用ファントム２０では、上記顎骨１０の骨梁、歯根膜が存在する歯根膜腔、歯髄、象牙質、エナメル質を確認でき、特に、歯髄、象牙質、エナメル質のコントラスト差を確認できる。Ｘ線撮影画像において、これらの生体部位を明瞭に観察できることが、臨床現場で求められるため、これらの生体部位を使用してＸ線撮影画像の評価を行うことは、臨床上有意義である。従って、本医療用Ｘ線撮影装置用ファントム２０，２０Ｂ〜Ｄの構成は、Ｘ線撮影画像の評価用ツールとして好適である。
【００５４】
また、図１０に示す医療用Ｘ線撮影装置用ファントム２０Ｄのように、上記外装樹脂部４０Ｄ内に、物理ファントム５０が埋設されていてもよい。物理ファントム５０は、相互に異なるＸ線透過率を有する複数のＸ線透過部５１、５２、５３を有している。ここでは、物理ファントム５０は、アクリル樹脂等の樹脂等によって形成された部材であり、図１０及び図１１に示すように、その一主面に、異なる深さの穴５１、５２、５３を有している。図１１では、穴５１、５２、５３のうち、穴５１は最も浅く、穴５３は最も深く、穴５２はその中間の深さである。穴５１、５２、５３内は空洞であってもよいし、物理ファントム５０を構成する樹脂等とは異なるＸ線透過率を有する材質で埋められていてもよい。この物理ファントム５０をその穴５１、５２、５３の開口側からＸ線撮影すると、その深さに応じて異なるＸ透過率を呈する。よって、物理ファントム５０の各穴５１、５２、５３が形成された部分が、相互に異なるＸ線透過率を呈する複数のＸ線透過部ということになる。各穴５１、５２、５３部分が呈するＸ線透過率は、医療用Ｘ線撮影装置の評価に供するため、既知の値であることが好ましい。なお、医療用Ｘ線撮影用ファントム２０Ｄに埋設される物理ファントム５０を形成するアクリル樹脂等の樹脂は、医療用Ｘ線撮影用ファントム２０Ｄで用いられる外装樹脂部４０Ｄと共通のものであってもよい。樹脂部材が共通であれば、医療用Ｘ線撮影用ファントムの一部（顎骨部位３０の近傍）に複数のＸ線透過部５１、５２、５３を直接設計することもできる。
【００５５】
このように、医療用Ｘ線撮影装置用ファントム２０Ｄ内に物理ファントム５０を埋設しておくと、顎骨部位３０を用いたＸ線撮影装置の評価だけでなく、当該物理ファントム５０の各Ｘ線透過部としての穴５１、５２、５３を利用してＸ線撮影装置の評価等を行うことができる。
【００５６】
なお、本医療用Ｘ線撮影装置用ファントムに埋設される物理ファントムの形態は前記実施例の形態に限られるものではない。物理ファントムとは、医療Ｘ線撮影装置用の画質性能に関する校正用や測定用として使用される試験体であって、相互に異なるＸ線透過率を有する複数のＸ線透過部分を含むもの全てをいう。例えば、大きさが異なる複数の物質（例えば、直径の異なる複数の金属球）がそれぞれの大きさに起因して相互に異なるＸ線透過率を呈するものであってもよいし、厚みを階段状又は傾斜状に変化させ、その厚みに応じて相互に異なるＸ線透過率を呈するようにしたものであってもよいし、Ｘ線透過率の異なる複数の物質を組合わせて相互に異なるＸ線透過率を呈するようにしてものであってもよい。
【００５７】
上記物理ファントム５０の具体例についていくつか説明する。
【００５８】
例えば、デンタル用のパノラマ撮影、セファロ撮影用に適した物理ファントムとしては、アルミファントム或は低分解能測定用のファントムが挙げられる。
【００５９】
アルミファントムと呼ばれるものは、厚みの異なるアルミニウムのピースを組合わせて、厚みを階段状又は傾斜状に変化させるようにしたり、また、アルミニウムと鉛等とを組合わせて、相互に異なるＸ線透過率を呈するようにしたものである。
【００６０】
また、低分解能測定用のファントムは、異なる直径の金属球を組合わせたもの、或は、口径の異なる孔或は有底の穴または深さが異なる有底の穴を組合わせたものである。前者の場合、直径に応じてＸ線透過率が異なる。また、後者の場合、孔又は有底の穴の有無によってＸ線透過率が異なり、また、有底の穴の深さによってもＸ線透過率が異なる。なお、口径の異なる孔或は有底の穴を用いる設計については、口径の大小ではＸ線透過率は異ならない。孔或は有底の穴の口径を異ならせる理由は、撮影された被写体についてどの程度の小ささまで撮影画像として表現できるか（認識できるか）を評価するためである。
【００６１】
また、例えば、物理ファントムとしては、解像度チャートを含むものを用いてもよい。解像度チャートは、金、鉛或はタングステン等のＸ線高吸収体によって、同心円状、放射状、格子状、回折格子状或は連子状の形状に形成した物であり、通常、樹脂等で包込まれた状態とされる。この解像度チャートでは、Ｘ線撮影装置の空間分解能を測定するために用いられるものであり、Ｘ線高吸収体の部分と当該部分を包込んだ周りの樹脂部分とで異なるＸ線透過率を呈する。
【００６２】
また、ＣＴ撮影用のファントムとしては、コントラストファントムが用いられる。コントラストファントムとは、例えば、補綴した歯牙など、Ｘ線吸収差があるものを同時に撮影した場合に、当該補綴した歯牙を撮影して認識できる程度の分解できる性能があるかどうかを評価するためのファントムである。かかるファントムとしては、例えば、柱状の樹脂の中にカルシウム濃度の異なるピース（歯の模型）を組合わせて埋設した、骨塩量の定量測定用のファントム、アルミニウム（補綴物に相当）、カルシウム（歯牙・骨に相当）、アクリル（軟組織に相当）、これらの被写体の無い部分（気泡などに相当）等の異なるＸ線吸収体部分を組み合わせた物質を用いたもの等が挙げられる。
【００６３】
また、物理ファントムは、空間分解能測定用のファントムとして、空間周波数を計測するための金属線を用いた形態（ワイヤーファントムなど）であってもよい。
【００６４】
ワイヤーファントムは、例えば、厚み１〜２ｍｍ程度の樹脂製の容器（例えば、円筒状容器）の空間内に金属等のワイヤーを張設したものであり、金属ワイヤーが通る部分とその周りの空間部分とで異なるＸ線透過率を呈する。ワイヤーは、その周囲の樹脂或は空間（被写体の無い部分）等に対して十分にＸ線を吸収する物質であればよい。
【００６５】
また、デンタル用のパノラマ撮影、セファロ撮影、ＣＴ撮影評価用の物理ファントムとして、形状ファントムを用いてもよい。形状ファントムは、予め長さ、角度等の形状が決った被写体を含むファントムであり、撮像された画像が等倍であるかどうか、歪みが無いか等を評価するために用いられる。
【００６６】
上記被写体は、樹脂部又は空間等に対して十分にＸ線吸収できる物質であればよく、加工性の良好性等から、アルミニウム或はステンレス等の材質のものを用いるとよい。かかる被写体も、当該被写体が存在する部分とその周辺部分とで異なるＸ線透過率を呈する。
【００６７】
形状ファントムの形状例としては、例えば、円柱形状のもの、階段形状のもの、板状或は立方体状の樹脂中にアルミニウムの球体を埋込んだもの等が挙げられる。
【００６８】
なお、上記実施形態及び各変形例で説明した各構成は、相互に矛盾しない限り適宜組合わせることができる。
【００６９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【００７０】
以上のとおり説明した、本願発明の医療用Ｘ線撮影装置用ファントムを用いれば、臨床現場での用途や目的と密接に繋がるＸ線撮影画像の視覚的評価が可能となる。従って、本医療用Ｘ線撮影装置用ファントムを用いることによって、工場出荷時の製品の品質点検や、定期点検（保守点検）での撮影画像に関する恒常性評価や、修理点検における撮影画像の確認評価等において、評価者にとってより分かりやすい評価が可能となる。また、医療施設の医師やスタッフなどのユーザにとって、より分かりやすい評価結果の説明が可能となる。
【符号の説明】
【００７１】
１０  顎骨
１２  歯槽骨
１５  臼歯
２０、２０Ｂ、２０Ｃ、２０Ｄ  医療用Ｘ線撮影装置用ファントム
３０  顎骨部位
４０、４０Ｂ、４０Ｃ、４０Ｄ  外装樹脂部
５０  物理ファントム
５１、５２、５３  穴
【図１】
0005658133.tif 000002
【図２】
0005658133.tif 000003
【図３】
0005658133.tif 000004
【図４】
0005658133.tif 000005
【図５】
0005658133.tif 000006
【図６】
0005658133.tif 000007
【図７】
0005658133.tif 000008
【図８】
0005658133.tif 000009
【図９】
0005658133.tif 000010
【図１０】
0005658133.tif 000011
【図１１】
0005658133.tif 000012